【手続補正書】
【提出日】平成20年6月23日(2008.6.23)
【手続補正１】
【補正対象書類名】明細書
【補正対象項目名】特許請求の範囲
【補正方法】変更
【補正の内容】
【特許請求の範囲】
【請求項１】  取引当事者間で文書を取引するための匿名取引システムであって、
電子メッセージを伝送するための通信ネットワークと、
それぞれ前記通信ネットワークに接続された複数の注文入力装置であって、該注文入力装置は、呼び値及び／又は指し値注文を含む電子注文を生成し、前記通信ネットワークを介して前記複数の注文入力装置の他のものから受信した取引注文情報を通信するためのものである注文入力装置と、
前記通信ネットワークに接続され、前記注文入力装置から匿名取引システムに入力された呼び値及び指し値注文をマッチングし、価格がマッチグすれば取引を実行するための、少なくとも一つのマッチングエンジンと、
前記通信ネットワークに接続され、注文価格メッセージを前記注文入力装置に配信し、前記注文価格メッセージ及びマッチングエンジンに応答可能である、市場配信部と、
各トレーダー又はトレーダーのグループと、見込まれる相手方当事者のトレーダー又はトレーダーのグループとの間の取引に利用可能なクレジットを記憶する、クレジット限度記憶部と、
所定の当事者と相手方当事者との間で将来の取引に利用可能なクレジットをその相手方当事者との取引に従って調整し、前記取引に起因する前記当事者に対するエクスポージャーにおける変化を計算し、所定の当事者と各相手方当事者との間の取引のネッティングに起因するエクスポージャーにおける変化に従って前記利用可能なクレジットを調整するクレジット調整部と
を備える、匿名取引システム。
【請求項２】  所定の取引フロアの前記注文入力装置は前記通信ネットワークに接続された取引エージェントノードに接続され、
所定の取引フロアの前記クレジット限度記憶部及び前記クレジット調整部は、前記取引フロアに付属した前記取引エージェントノードにある、請求項１に記載の匿名取引システム。
【請求項３】  所定の取引フロアの前記注文入力装置は前記通信ネットワークに接続された取引エージェントノードに接続され、所定の取引フロアの前記クレジット限度記憶部及びクレジット調整部は先の取引エージェントノードにある、請求項１に記載の匿名取引システム。
【請求項４】  所定の取引フロアの前記取引エージェントノードは、所定の相手方当事者との取引が申し込まれると、前記クレジット限度記憶部及びクレジット調整部がある前記個々の取引ノードに、クレジット照会メッセージを送信するメッセンジャーを備える、請求項３に記載の匿名取引システム。
【請求項５】  上記クレジット限度記憶部は少なくとも部分的に前記マッチングエンジンにある、請求項１に記載の匿名取引システム。
【請求項６】  前記マッチングエンジンは利用可能なクレジット限度の部分集合を含む、請求項５に記載の匿名取引システム。
【請求項７】  前記クレジット調整部及びクレジット記憶部は、取引フロアと各見込まれる相手方当事者との間のクレジット限度、並びに各相手方当事者についての利用されたクレジットの総額、各取引の総額、各取引が売りであるか買いであるか、及び将来の取引に利用可能なクレジットの総額を協働して記憶する、請求項１に記載の匿名取引システム。
【請求項８】  前記マッチングエンジン及び前記市場配信部は、前記通信ネットワークの一つの仲介ノードを協働して構成し、前記通信ネットワークは複数の仲介ノードを備える、請求項１に記載の匿名取引システム。
【請求項９】  各仲介ノードは、匿名取引システムに接続された各取引フロアについてのクレジット限度情報の部分集合を記憶している、請求項８に記載の匿名取引システム。
【請求項１０】  外国為替スポットを取り扱い、各仲介ノードに記憶されたクレジット限度情報の部分集合は、各当事者と各見込まれる相手方当事者との間にクレジットが存在するか否かの証明を含む、請求項９に記載の匿名取引システム。
【請求項１１】  前記クレジット情報の部分集合は、イエス／ノーのマトリックスである、請求項１０に記載の匿名取引システム。
【請求項１２】  前記取引される文書は２以上の通貨価値を含み、
前記クレジット調整部は各通貨における通貨エクスポージャーを計算する計算部を含む、請求項１に記載の匿名取引システム。
【請求項１３】  前記クレジット調整部は、前記計算された通貨エクスポージャーをクレジット限度に基づく通貨等価値に変換する変換部を含む、請求項１２に記載の匿名取引システム。
【請求項１４】  前記クレジット調整部は複数の金融文書について個々の通貨における通過エクスポージャーを計算する、請求項１３に記載の匿名取引システム。
【請求項１５】  クレジット調整部は、複数の金融文書についての各通貨における通貨エクスポージャーを計算する、請求項１２に記載の匿名取引システム。
【請求項１６】  取引当事者間で金融文書を取引するための電子仲介システムであって、
複数の仲介ノードと、複数の取引エージェントノードとを含み、各取引エージェントノードは一つの仲介ノードに接続されている、電子メッセージを伝送するための通信ネットワークと、
複数の注文入力装置と、取引エージェントノードに接続された取引フロアの取引ターミナルとを備え、各注文入力装置は、呼び値及び／又は指し値注文を含む電子注文メッセージを生成し、前記複数の注文入力装置の他のものから受信した注文価格情報を上記取引エージェントノードから通信するためものものであり、
各仲介ノードは、前記注文入力装置から匿名取引システムに入力された呼び値及び指し値注文をマッチングさせ、価格がマッチしたときに取引を実行するマッチングエンジンを備え、各マッチングエンジンは前記注文価格メッセージ及びマッチング手段に応じて注文価格メッセージを配信し、
トレーダー又はトレーダーのグループと見込まれる相手方当事者のトレーダー又はトレーダーのグループとの間の取引に利用可能なクレジット限度を記憶する、クレジット限度記憶部と、
所定の当事者と相手方当事者との間で利用可能なクレジットをその契約当事者との取引に従って調整し、前記取引に起因する前記当事者に対するエクスポージャーにおける変化を計算し、取引のネッティングに起因する前記エクスポージャーの変化に応じてて前記利用可能なクレジットを調整するクレジット調整部と
をさらに備える、電子仲介システム。
【請求項１７】  取引される文書は、２以上の通貨価値を含み、
クレジット調整部は各通貨における通貨債務を計算する計算部を含む、請求項１６に記載の電子仲介システム。
【請求項１８】  前記クレジット調整部は、計算された通貨エクスポージャーをクレジット限度に基づく通貨等価値に変換する変換部を含む、請求項１７に記載の電子仲介システム。
【請求項１９】  取引当事者間で金融文書を取引するための電子仲介システムであって、
複数の仲介ノードと、複数の取引エージェントノードとを含み、各取引エージェントノードは一つの仲介ノードに接続されている、電子メッセージを伝送するための通信ネットワークと、
複数の注文入力装置と、取引エージェントノードに接続された取引フロアの取引ノードとを備え、各注文入力装置は、呼び値及び／又は指し値注文を含む電子注文クオテーションメッセージを生成し、前記複数の注文入力装置の他のものから受信した注文価格情報を上記取引エージェントノードから通信するためものものであり、
各仲介ノードは、前記注文入力装置から匿名取引システムに入力された呼び値及び指し値注文をマッチングさ、注文がマッチしたときに取引を実行するマッチングエンジンを備え、各仲介ノードは前記トレーダーターミナルへ注文価格メッセージを配信し、前記配信は前記注文価格メッセージ及びマッチングエンジンに応答可能であり、
少なくともいくつかの前記取引エージェントノードは、各トレーダー又はトレーダーのグループと見込まれる相手方当事者のトレーダー又はトレーダーのグループとの間の取引に利用可能なクレジット限度を記憶するクレジット限度蓄積部と、
所定の当事者と相手方当事者との間で利用可能なクレジットをその契約当事者との取引に従って調整し、所定の当事者と各相手方当事者との間の取引のネッティングに起因するエクスポージャーにおける変化に従って前記取引に起因する前記当事者に対するエクスポージャーにおける変化を決定することにより利用可能なクレジットを調整する調整部と
をさらに備える、電子仲介システム。
【請求項２０】  所定の取引フロアの前記クレジット制限記憶手段とクレジット制限調整手段は、前記取引フロアの前記注文入力装置が直接的に接続された取引エージェントノードに配置されている、請求項１９に記載の電子仲介システム。
【請求項２１】  所定の取引フロアの前記クレジット制限記憶部とクレジット制限調整部は、前記取引フロアの前記注文入力装置が直接接続されていない取引エージェントノードに配置されている、請求項１９に記載の電子仲介システム。
【請求項２２】  前記取引される金融文書は２以上の通貨価値を含み、
前記クレジット調整手段は各通貨における通貨エクスポージャーを計算する手段を含む、請求項２１に記載の匿名取引システム。
【請求項２３】
コンピュータで実行される匿名取引システムにおいて、第１及び第２のトレーダー間で少なくとも一つの取引可能なアイテムを取引する方法であり、前記第１のトレーダーは前記第２のトレーダーとの取引のクレジット限度を規定し、一つ又はそれ以上のコンピュータを含み、
前記第１及び第２のトレーダー間での第１の取引を実行するステップと、
前記第１の取引に基づいて前記クレジット限度を調整するステップと、
前記第１及び第２のトレーダー間での第２の取引を実行するステップと、
第１及び第２のトレーダーの両方を考慮した前記第２の取引からの前記第１の取引の総エクスポージャーに基づいて前記クレジット限度を調整し、前記総エクスポージャーは前記第１及び第２のトレーダー間の取引のネッティングに基づくものであるステップと
を備える方法。
【請求項２４】
前記調整は前記第１及び第２の取引におけるすべての通貨をクレジット限度通貨に換算することを含む、請求項２３に記載の方法。
【請求項２５】
トレーダーのためのマーケットビューを生成するステップと、前記第２のトレーダーからの指し値が前記第１のトレーダーによる呼び値によりヒットされないような閾値を前記クレジット限度が下回ると、前記第２のトレーダーの呼び値を前記第１のトレーダーのための前記マーケットビューに表示するステップとをさらに備える、請求項２３に記載の方法。
【請求項２６】
前記第２のトレーダーは取引主体のグループからなり、
前記調整は前記グループについてクレジット限度を調整する、
請求項２３に記載の方法。
【請求項２７】
前記調整は単一の種類の取引アイテムについての取引に基づく、請求項２３に記載の方法。
【請求項２８】
第１及び第２のトレーダー間で取引書類を取引するための匿名取引システムであり、前記第１のトレーダーは前記第２のトレーダーとの取引についてのクレジット限度を規定するものであって、
通信ネットワークと、
前記通信ネットワークに接続され、トレーダー間の注文をマッチし、前記第１及び第２のトレーダーのうちの少なくとも一つと通信する少なくとも一つの仲介ターミナルと
を備え、
前記仲介ターミナルは前記第２のトレーダーからの前記第１のトレーダーの合計エクスポージャーに基づいて前記クレジット限度を調整し、前記合計エクスポージャーは前記第１及び第２のトレーダー間のネッティングに基づくものである、匿名取引システム。
【請求項２９】
前記仲介ターミナルはさらに前記仲介ターミナルに接続されたトレーダーからの注文を受信して伝達する、請求項２８に記載の匿名取引システム。
【請求項３０】
前記仲介ターミナルはトレーダーのためのマーケットビューを生成し、
前記第２のトレーダーからの指し値が前記第１のトレーダーによる呼び値によりヒットされないような閾値を前記クレジット限度が下回ると、前記仲介ターミナルは前記第２のトレーダーの呼び値を前記第１のトレーダーのための前記マーケットビューに表示する、請求項２８に記載の匿名取引システム。
【請求項３１】
前記第２のトレーダーは取引主体のグループからなり、
前記仲介ターミナルは前記グループについてクレジット限度を調整する、請求項２８に記載の匿名取引システム。
【請求項３２】
前記仲介ターミナルは、単一の種類の取引アイテムについて取引に基づいて前記クレジット限度を調整する、請求項２８に記載の匿名取引システム。
【請求項３３】
前記合計エクスポージャーは少なくとも２つの通貨ペアを含む取引に基づく、請求項２８に記載の匿名取引システム。
【請求項３４】
第１及び第２のトレーダー間で少なくとも一つの取引可能なアイテムを取引する取引システムであって、前記第１のトレーダーは前記第２のトレーダーとの取引のクレジット限度を規定するものであって、
通信ネットワークと、
前記通信ネットワークに接続され、トレーダー間の注文をマッチし、前記第１及び第２のトレーダーのうちの少なくとも一つと通信する少なくとも一つの仲介ターミナルと
を備え、
前記第２のトレーダーからの前記第１のトレーダーの合計エクスポージャーに基づいてクレジット限度を調整し、前記合計エクスポージャーは前記第１及び第２のトレーダー間のネッティングに基づくものである、取引システム。
【請求項３５】
前記第２のトレーダーは前記第１のトレーダーとの取引の他のクレジット限度を規定し、
前記第１のトレーダーからの前記第２のトレーダーの合計エクスポージャーに基づいて前記他のクレジット限度を調整する、請求項３４に記載のシステム。
【請求項３６】
第１及び第２トレーダー間で少なくとも一つの取引可能なアイテムを取引するシステムであって、
前記第１のトレーダーと、
前記第２のトレーダーと
を備え、
前記第１のトレーダーは前記第２のトレーダーとの取引のクレジット限度を規定し、前記クレジット限度は前記第２のトレーダーからの前記第１のトレーダーの合計エクスポージャーに基づいて調整され、前記合計エクスポージャーは前記第１及び第２のトレーダー間の取引のネッティングに基づく、システム。
【請求項３７】
取引システムにおける仲介ターミナルであって、前記取引システムは、通信ネットワークと、前記通信ネットワークに接続され、トレーダー間の注文をマッチする前記仲介ターミナルとを備え、前記取引システムは第１のトレーダーと第２のトレーダーとをさらに含み、前記第１のトレーダーは前記第２のトレーダーとの取引のクレジット限度を規定し、前記仲介ターミナルは、
第１の取引が前記第１及び第２のトレーダー間で実行されたことの通知の受信、
前記第１の取引に基づく前記クレジット限度の調整、
第２の取引が前記第１及び第２のトレーダー間で実行されたことの通知の受信、及び
前記第２のトレーダーからの前記第１のトレーダーの合計エクスポージャーに基づくクレジット限度の調整であって、前記合計エクスポージャーは前記第１及び第２のトレーダー間の取引のネッティングに基づくものである調整
を行う実行可能なソフトウェアを備える、仲介ターミナル。
【請求項３８】
当事者間で代替可能物を取引するための取引システムであって、
代替可能物に関して当事者によって前記取引システムに入力された買い／売り注文を、前記取引システムに入力された代替可能物に関する相手方当事者の売り／買い注文にマッチングするマッチングエンジンと、
前記取引システムでの相手方当事者との取引について当事者によって割り当てられたクレジット限度を記憶し、前記クレジット限度は取引としてマッチした注文を実行する前に、この取引に十分なクレジットが存在することを保証するためにチェックされ、クレジット記憶部とを備え、
前記クレジットエンジンは、実行された取引の総量により将来の取引に当事者が利用可能なクレジットを変更する第１のクレジット調整部を備え、前記利用可能なクレジットの総量は売り取引に対して買い取引とは反対の方向に変更される、取引システム。
【請求項３９】
当事者間で取引文書を取引するための取引システムであって、
前記取引システムにおける相手方当事者の取引文書についてのクレジット限度を記憶するクレジット記憶部と、
取引の実行のために当事者によって取引システムに入力された買い及び売り注文をマッチングし、取引の実行前に、マッチした当事者の少なくとも一つがその取引を実行するために十分な利用可能なクレジットを有することを保証するために、クレジットのチェックが実行されるマッチングエンジンと、
実行された取引の総量により少なくとも一つの当事者が取引に利用可能なクレジットの総額を調整し、前記残りのクレジットの総額は、買い取引に続いて売り取引に続く調整とは反対方向に調整される、クレジットマネージャと
を備える取引システム。